(57)【特許請求の範囲】
【請求項１】
窓枠の幅方向に延出し、両端部が窓枠の左右の見込面に枢支された複数の羽根板と、
前記複数の羽根板の両端部に設けた腕片が連結され、上下方向に移動自在の左右の作動部材と、
少なくとも一方の作動部材を上下動可能に支持する操作手段と、
前記複数の羽根板の室内側に位置して設けた格子と、
を備え、
前記格子は、窓枠の高さ方向に延出する左右の縦部材と、当該縦部材間で上下方向に間隔を存して水平方向に延出する複数の横部材とから梯子状に形成されており、前記格子は、前記左右の縦部材を前記左右の作動部材にそれぞれ固定することで前記羽根板の回動に連動して上下動し、
前記複数の羽根板は、窓枠の室外側に上下方向に所定間隔を存して配置された複数の室外側羽根板と、窓枠の室内側に上下方向に所定間隔を存して配置された複数の室内側羽根板と、からなり、前記複数の室外側羽根板及び室内側羽根板は互いに平行状に回動するように構成されており、
前記複数の羽根板が全開姿勢まで回動した時に、前記格子の横部材の高さ位置が、全開姿勢にある前記室外側羽根板の室内側で、当該室外側羽根板の室内側端部の高さと同じ位置に移動するように構成されている、
格子を備えたルーバー。
【請求項２】
窓枠の幅方向に延出し、両端部が窓枠の左右の見込面に枢支された複数の羽根板と、
前記複数の羽根板の両端部に設けた腕片が連結され、上下方向に移動自在の左右の作動部材と、
少なくとも一方の作動部材を上下動可能に支持する操作手段と、
前記複数の羽根板の室内側に位置して設けた格子と、
を備え、
前記格子は、窓枠の高さ方向に延出する左右の縦部材と、当該縦部材間で上下方向に間隔を存して水平方向に延出する複数の横部材とから梯子状に形成されており、前記格子は、前記左右の縦部材を前記左右の作動部材にそれぞれ固定することで前記羽根板の回動に連動して上下動し、
前記複数の羽根板は、上下方向に所定間隔を存して配置されていると共に、互いに平行状に回動するように構成されており、
前記複数の羽根板が全開姿勢まで回動した時に、前記格子の横部材の高さ位置が、全開姿勢にある前記羽根板の室内側で、当該羽根板の室内側端部の高さと同じ位置に移動するように構成されている、
格子を備えたルーバー。
【発明の詳細な説明】
【技術分野】
【０００１】
本発明は、格子を備えたルーバーに関するものである。
【背景技術】
【０００２】
防犯を目的として、窓開口部に格子を設ける場合がある。格子は、窓開口部の室外側に取り付けられる場合が多く、いわゆるルーバーサッシにおいても、室外に格子を取り付けていた。しかしながら、室外に格子を取り付けることは、サッシ取り付け工事とは別の工事を必要とするのみならず、建物の外観を損ねる場合が多い。
【０００３】
ルーバーサッシの室内側に格子を取り付けたものが特許文献１、特許文献２に記載されている。しかしながら、これらのものでは、ルーバーを構成する各羽根体を回動させる作動部材に対して格子形成用の金属杆を直接取り付けるものであり、既設のルーバーサッシへの後付けは困難である。また、いずれの文献も、いわゆる二重ルーバーについては一切開示されておらず、二重ルーバー自体は公知ではあるものの、いずれの文献も、格子と二重ルーバーとの関係については何ら言及するものではない。
【特許文献１】実開昭６１−１７６３８０号
【特許文献２】実開昭６２−１６５３９２号
【発明の開示】
【発明が解決しようとする課題】
【０００４】
本発明は、既設のルーバーサッシに対して後付けが可能な格子を備えたルーバーを提供することを目的とするものである。
【課題を解決するための手段】
【０００５】
本発明が採用した技術手段は、窓枠の幅方向に延出し、両端部が窓枠の左右の見込面に枢支された複数の羽根板と、前記複数の羽根板の両端部に設けた腕片が連結され、上下方向に移動自在の左右の作動部材と、少なくとも一方の作動部材を上下動可能に支持する操作手段と、前記複数の羽根板の室内側に位置して設けた格子と、を備え、前記格子は、窓枠の高さ方向に延出する左右の縦部材と、当該縦部材間で上下方向に間隔を存して水平方向に延出する複数の横部材とから梯子状に形成されており、前記格子は、前記左右の縦部材を前記左右の作動部材にそれぞれ固定することで前記羽根板の回動に連動して上下動する、格子を備えたルーバー、である。
【０００６】
１つの態様では、前記複数の羽根板は、窓枠の室外側に上下方向に所定間隔を存して配置された複数の室外側羽根板と、窓枠の室内側に上下方向に所定間隔を存して配置された複数の室内側羽根板と、からなり、前記複数の室外側羽根板及び室内側羽根板は互いに平行状に回動するように構成されており、前記複数の羽根板が全開姿勢（後述する実施形態では水平姿勢）まで回動した時に、前記格子の横部材の高さ位置が、全開姿勢にある前記室外側羽根板の室内側で、当該室外側羽根板の室内側端部の高さと同じ位置に移動するように構成されている。
【０００７】
１つの態様では、前記複数の羽根板は、上下方向に所定間隔を存して配置されていると共に、互いに平行状に回動するように構成されており、前記複数の羽根板が全開姿勢まで回動した時に、前記格子の横部材の高さ位置が、全開姿勢にある前記羽根板の室内側で、当該羽根板の室内側端部の高さと同じ位置に移動するように構成されている。
【発明の効果】
【０００８】
本発明では、格子を梯子状のユニットで形成したので、縦部材を既設のルーバーの作動部材に取り付けることで、格子を有しない既設のルーバーを格子付きのルーバーとすることができる。また、縦部材を作動部材に取り付ける止着部材を螺子等の着脱可能な手段から構成すれば、格子を既設のルーバーに対して着脱自在とすることができる。
【０００９】
複数の羽根板が窓開放状態の水平姿勢まで回動した時に、前記格子の横部材の高さ位置が、水平姿勢にある前記室外側羽根板の室内側で、当該室外側羽根板の高さと同じ位置に移動するように構成されているものでは、格子を設けたものでありながら、格子の横部材がルーバーの羽根板の清掃時の妨げとならない。特に、室外側羽根板と室内側羽根板の間隔が小さい二重ルーバーにおいては、この効果は有用である。また、窓全開時には、羽根板の室内側に格子の横部材が位置するので、室外側から見た場合には、格子の横部材が隠れており、開放時の美観も良好である。また、窓全開時に、全開姿勢となった羽根板間に形成される開放面積が格子の横部材によって狭められることがない。
【発明を実施するための最良の形態】
【００１０】
本発明の実施形態を図面に基づいて詳細に説明する。ルーバーが取り付けられる窓枠は、上枠１、下枠２、左右の縦枠３，４と、からなり、各枠１，２，３，４の見込面によって囲繞される空間が窓開口部となっており、窓開口部を複数枚の羽根板７，８を備えたルーバーによって開閉するようになっている。図１は、ルーバーによって閉鎖された窓開口部を室内側から見た図である。以下の記載において、窓開口部の内外方向を「見込方向」、窓開口部の内側に面する面を「見込面」とし、窓開口部の正面の面を「見付面」とする。また、本明細書において、「室外側」、「室内側」とは、窓開口部を中心とした実際の室外側、室内側を意味することに加えて、対比される２つの部材あるいは部分がある場合に、相対的に室外側に位置する方を「室外側」、他方を「室内側」という場合を含む。
【００１１】
上枠１は、室外側見付面１０と室内側見付面１１とを備え、室外側見付面１０と室内側見付面１１とは、見込方向に延出する連結片１２によって連結されており、室外側見付面１０から室内側に向かって持ち出し状に見込片１３が延出形成されている。
【００１２】
下枠２は、室外側見付面２０と室内側見付面２１とを備え、室外側見付面２０と室内側見付面２１とは、見込方向に延出する連結片２２によって連結されており、連結片２２の室内側部位の上方に位置して水平状の片２３が形成されている。
【００１３】
左右の縦枠３，４は、それぞれ、室外側見付面３０，４０と室内側見付面３１，４１とを備え、室外側見付面３０，４０と室内側見付面３１，４１とは、見込方向に延出する連結片３２，４２によって連結されており、連結片３２，４２の内側には、見込み方向の室外側に位置して、室外側見付面３０，４０から室内側に向かって延出する見込片３３，４３が形成されている。見込片３３，４３には、窓開口部の側面を形成するパネルが設けてあり、各パネルの面部が、見込面３３０，４３０を形成している。尚、別途パネルを設けずに、縦枠３，４の室外側見込片３３，４３が、各見込面を形成するものでもよい。
【００１４】
窓枠の見込み方向の室内側に位置して、見込片３３（見込面３３０）と見込片４３（見込面４３０）の室内側には、二重ルーバーの羽根板７，８を支持する作動部材５が位置している。作動部材５は、上下方向に延びる長尺部材であり、一方の作動部材５には、操作手段６が連結されており、室内側から操作手段６を操作することで、作動部材５を上下に移動させることが可能となっている。
【００１５】
操作手段６は、第１アーム６０、第２アーム６１、ギア６２、ハンドル６３と、を備えている。第１アーム６０の先端は、作動部材５の面部の所定高さ位置に軸部Ｘ３を介して回転可能に連結されており、第１アーム６０の基端は、第２アーム６１の先端に回転可能に連結されており、第２アーム６１の基端はギア６２部を介してハンドル６３と連動連結されている。ハンドル６３の第１の方向への回転によって操作手段６を介してスライド部材５が下動し、ハンドル６３の第２の方向への回転によって操作手段６を介してスライド部材５が上動する。
【００１６】
二重ルーバーは、開口部閉鎖時に室外側に面するように上下方向に配置された複数枚の室外側羽根板７と、開口部閉鎖時に室内側に面するように上下方向に配置された複数枚の室内側羽根板８とを備えている。実施の形態では、二重ルーバーに基づいて本発明を説明するが、本発明が適用されるルーバーは二重ルーバーに限定されるものではない。
【００１７】
室外側羽根板７は、開口部の幅方向に延出する長尺状の板体であり、室外側羽根板７の長さ方向両端部には、室外側羽根板７を窓開口部に支持させるための支持部材７０が装着されている。支持部材７０は、室内側に向かって上向き傾斜状に延出する腕片７１を備えている。腕片７１の基端側には回動軸Ｘ１が、腕片７１の先端側には案内軸Ｘ２が装着されている。
【００１８】
腕片７１の回動軸Ｘ１は、縦枠３，４の見込面３３０，４３０に設けられ、室外側羽根板７は、回動軸Ｘ１を介して見込面３３０，４３０に枢支される。腕片７１の先端に設けられる案内軸Ｘ２は、作動部材５に枢支されている。
【００１９】
室内側羽根板８は、開口部の幅方向に延出する長尺状の板体であり、室内側羽根板８の長さ方向両端部には、室内側羽根板８を窓開口部に支持させるための支持部材８０が装着されている。支持部材８０は、室外側に向かって突設された室外側突片８１と、室内側に向かって上向きに突設された室内側腕片８２と、を備えている。室外側突片８１には回動軸Ｘ１が装着され、室内側腕片８２には案内軸Ｘ２が装着されている。
【００２０】
室外側突片８１の回動軸Ｘ１は、縦枠３，４の見込面３３０，４３０に設けられ、室内側羽根板８は、回動軸Ｘ１を介して見込面３３０，４３０に枢支される。腕片８２の先端に設けられる案内軸Ｘ２は、作動部材５に枢支されている。室外側羽根板７の回動軸Ｘ１と室内側羽根板８の回動軸Ｘ１とは同一鉛直線上にあり、室外側羽根板７の案内軸Ｘ２と室内側羽根板８の案内軸Ｘ２とは同一鉛直線上にあり、室外側羽根板７と室内側羽根板８とは平行状の姿勢を維持しながら回動する。
【００２１】
二重ルーバーの羽根板７，８の室内側には、格子９が設けてある。格子９は、左右の縦部材９０と、縦部材９０間に上下に所定間隔を存して設けた複数の水平状の横部材９１と、からなる。格子９は、左右の縦部材９０を、止着部材Ｘ４を用いて、作動部材５に取り付けることで、作動部材５の上下動によって、室外側羽根板７、室内側羽根板８と一体で上下動するようになっている。
【００２２】
格子９の縦部材９０は、窓枠の高さ寸法と略同じ高さ寸法を備え、窓枠の見込み方向に延出する板材である。操作手段６が装着される側の縦部材９０の高さ方向の所定部位には、軸部Ｘ３を挿通させる孔９００が形成されており、また、高さ方向の複数箇所には止着部材Ｘ４を取り付ける孔９０１が形成されている。横部材９１は、扁平状の長方形の断面形状を有しており、長さ方向の両端が左右の縦部材９０に固定されている。格子９は、梯子状の全体構成を備えている。
【００２３】
図５に示すように、左右の縦部材９０間の寸法（横部材９１の長さ寸法）は、左右の作動部材５間の寸法よりも少し大きく設定されており、左右の縦部材９０は、左右の作動部材５の外側に当接させて、高さ方向の複数箇所において止着部材Ｘ４を用いて固定される。止着部材Ｘ４としてはブラインドリベットが例示されるが、その他の取り外し自在の螺子でもよい。第１アーム６０の先端と作動部材５の面部とを回転自在に連結する軸部Ｘ３は着脱自在であり、既設のルーバーの操作手段６が設けられた側の作動部材５に格子９の縦部材９０を取り付ける場合には、軸部Ｘ３を取り外して第１アーム６０の先端から作動部材５を取り外し、第１アーム６０と作動部材５の間に、格子９の縦部材９０を介装して、軸部Ｘ３を取り付け、縦部材９０と作動部材５とを、作動部材５の内側から止着部材Ｘ４を用いて止着する。
【００２４】
格子９を備えた二重ルーバーの全体構成及び室外側羽根板７、室内側羽根板８の動きを図２乃至図４に基づいて説明する。図中、参照番号１００は、窓開口部の室内側に装着された網戸を示している。
【００２５】
図２は、ルーバーが窓開口部を全閉した状態を示している。各室外側羽根板７は、下端側が室外側に僅かに突出した鉛直に近い傾斜姿勢となっている。上下に隣位の室外側羽根板７において、上側の室外側羽根板７の室内側の面部の下方部位は、下側の室外側羽根板７の室外側の面部の上方部位に面接触している。最上位の室外側羽根板７の室外側の面部の上方部位には、上枠１に設けた気密部材Ｓ１が面接触している。最下位の室外側羽根板７の室内側の面部の下方部位には、下枠２に設けた気密部材Ｓ２が面接触している。
【００２６】
各室内側羽根板８は、下端側が僅かに室外側に突出した鉛直に近い傾斜姿勢となっており、各室外側羽根板７と平行状となっている。上下に隣位の室内側羽根板８において、上側の室内側羽根板８の室内側の面部の下方部位は、下側の室内側羽根板８の室外側の面部の上方部位に面接触している。最上位の室内側羽根板８の室外側の面部の上方部位には、上枠１に設けた気密部材Ｓ３が接触している。最下位の室内側羽根板８の室内側の面部の下方部位には、下枠２の水平片２３に設けた気密部材Ｓ４が接触している。
【００２７】
図２に示す開口部全閉状態において、操作手段６のハンドル６３の操作によって、一方の作動部材５を下動させると、左右の作動部材５に連結された案内軸Ｘ２が下方に移動して腕片７１，突片８１が回動することで、複数の室外側羽根板７、室内側羽根板８は、室外側見込面３３０，４３０に設けた回動軸Ｘ１を中心として、互いに平行状に、下端側（先端側）が室外側に拡開して行く。作動部材５の下動に連動して、室内側羽根板８の基端側（上端側）が室内側に突出して行くが、作動部材５の下動に連動して格子９も下動するので、室内側羽根板８と格子９の横部材９１が干渉することがない。
【００２８】
図３に示す開放状態からさらに、操作手段６のハンドル６３の操作によって、作動部材５を下動させると、案内軸Ｘ２を介して腕片７１の先端、室外側突片８１が下方に移動することで、室外側羽根板７、室内側羽根板８は、回動軸Ｘ１を中心に回動し、さらに、室外側に拡開して行って、図４に示す開口部全開状態となる。
【００２９】
この状態において、水平状の室外側羽根板７の高さ位置と、格子９の横部材９１の高さ位置が一致するようになっている。すなわち、格子９の複数の横部材９１の上下方向の間隔は、水平姿勢にある室外側羽根板７の上下方向の間隔と一致するように構成されており、かつ、格子９は、開口部全開時、すなわち、室外側羽根板７が水平姿勢となった時に、横部材９１が室外側羽根板７の室内側端部の後方に位置するように、作動部材５に装着されている。図４に示すように、この状態において、水平姿勢となった室内側羽根板８の室内側部位は、格子９の上下の横部材９１間に位置している。こうすることで、ルーバーの羽根板７，８を清掃する際に、清掃具を平行姿勢にある羽根板７，８間に出し入れする際に、格子９の横部材９１が清掃の妨げとなることがない。また、窓開口部の全開時には、室外側羽根板７の室内側に同じ高さ位置で格子９の横部材９１が位置するので、室外側から見た場合には、格子９の横部材９１が隠れており、格子９を備えたものでありながら、格子９が目立つことがなく、窓開口部全開時の美観も良好である。他方、窓開口部全閉時には、図２に示すように、格子９の横部材９１は、羽根板７，８の面部に対向する高さ位置にあり、羽根板７，８がガラス板等の透光部材から形成されている場合には、室外側から格子９の横部材９１を視認することができ、侵入を試みようとする者に対して抑止効果を発揮する。
【００３０】
図４に示す全開状態から、操作手段６のハンドル６３の操作によって、作動部材５を上動させると、上述の逆工程を辿って、図３の状態を経て、図２の全閉状態となる。
【産業上の利用可能性】
【００３１】
本発明は、窓開口部に設けられるルーバーに用いることができる。
【図面の簡単な説明】
【００３２】
【図１】格子を備えたルーバーを室内側から見た姿図である。
【図２】開口部全閉状態にある格子を備えた二重ルーバーの縦断面図であり、説明の便宜上、羽根板の枚数を省略して簡略化している。
【図３】図２の状態から羽根板を回動して傾斜姿勢とした図である。
【図４】図３の状態から羽根板を回動して略水平姿勢とした図である。
【図５】図２の格子を備えた二重ルーバーの横断面図である。
【図６】格子を示す図である。
【符号の説明】
【００３３】
３，４  縦枠
５  作動部材
６  操作手段
７  室外側羽根板
８  室内側羽根板
９  格子
９０  縦部材
９１  横部材
Ｘ１  回動軸
Ｘ２  案内軸
Ｘ３  軸部
Ｘ４  止着部材
【図１】
0005065973.tif 000002
【図２】
0005065973.tif 000003
【図３】
0005065973.tif 000004
【図４】
0005065973.tif 000005
【図５】
0005065973.tif 000006
【図６】
0005065973.tif 000007